(57)【要約】【課題】  汎用性をもたせながら音声ファイルと画像ファイルとの関連付けを行い得る記録再生装置及び方法を提案する。【解決手段】  外部音を集音することにより得られた音声情報を用件単位でファイル化して所定の記録媒体に記録すると共に、所定の第１の外部操作に応じて、外部を撮影することにより得られた画像情報を対応する音声情報のファイルと関連付けて当該記録媒体に記録するようにし、このとき画像情報を対応する音声情報のファイルと関連付けて当該記録媒体に記録する際には音声情報と各画像情報とを関連付けた画像管理ファイルを作成するようにした。【選択図】        図１４
2006074518.tif 000002
【特許請求の範囲】
【請求項１】
携帯型の記録再生装置において、
外部音を集音し、集音結果に応じた音声情報を出力する集音手段と、
外部を撮影し、撮影結果に応じた画像情報を出力する撮影手段と、
上記音声情報を用件単位でファイル化して所定の記録媒体に記録すると共に、所定の第１の外部操作に応じて、上記画像情報を対応する上記音声情報のファイルと関連付けて当該記録媒体に記録する記録手段と、
各上記音声情報の上記ファイルとそれぞれ関連付けられた上記画像情報に基づく各画像を表示する表示手段と、
上記表示手段に表示された上記画像のうちの所定の第２の外部操作によって選択された上記画像と関連付けられた上記音声情報の上記ファイルを再生する再生手段と
を具え、
上記記録手段は、
上記音声情報と各上記画像情報とを関連付けた画像管理ファイルを作成し、
上記再生手段は、
当該画像管理ファイルに基づいて、上記表示手段に表示された上記画像のうちの所定の第２の外部操作によって選択された上記画像と関連付けられた上記音声情報の上記ファイルを再生する
ことを特徴とする記録再生装置。
【請求項２】
上記記録手段は、
上記音声ファイルと、当該音声ファイルと関連付けられた上記画像ファイルと、当該音声ファイル及び当該画像ファイルを関連付けた画像管理ファイルとを同一フォルダ内に格納する
ことを特徴とする請求項１に記載の記録再生装置。
【請求項３】
上記画像管理ファイルは、
１又は複数の上記画像ファイル内の上記画像情報にそれぞれ基づく各上記画像の中から代表画像が設定されたときに、当該設定された上記代表画像を特定するための情報を格納する領域が設けられた
ことを特徴とする請求項１に記載の記録再生装置。
【請求項４】
上記表示手段は、
上記画像管理ファイルに基づいて、各上記音声情報の上記ファイルについてそれぞれ設定された上記代表画像の上記画像情報に基づくサムネイル画像を表示する
ことを特徴とする請求項３に記載の記録再生装置。
【請求項５】
上記第１の外部操作は、
カメラシャッタボタンの押圧操作である
ことを特徴とする請求項１に記載の記録再生装置。
【請求項６】
上記第２の外部操作は、
所定の操作子を操作して、上記表示手段に各上記画像と共に表示されたカーソルを、所望の上記画像を指すように移動させた後に当該操作子を操作して、選択対象として当該画像を決定する操作である
ことを特徴とする請求項１に記載の記録再生装置。
【請求項７】
外部音を集音することにより得られた音声情報を用件単位でファイル化して所定の記録媒体に記録すると共に、所定の第１の外部操作に応じて、外部を撮影することにより得られた画像情報を対応する上記音声情報のファイルと関連付けて当該記録媒体に記録する第１のステップと、
各上記音声情報の上記ファイルとそれぞれ関連付けられた上記画像情報に基づく各画像を表示する第２のステップと、
表示した上記画像のうちの所定の第２の外部操作によって選択された上記画像と関連付けられた上記音声情報の上記ファイルを再生する第３のステップと
を具え、
上記第２のステップでは、
上記音声情報と各上記画像情報とを関連付けた画像管理ファイルを作成し、
上記第３のステップでは、
当該画像管理ファイルに基づいて、表示した上記画像のうちの所定の第２の外部操作によって選択された上記画像と関連付けられた上記音声情報の上記ファイルを再生する
ことを特徴とする記録再生方法。
【請求項８】
上記第２のステップでは、
上記音声ファイルと、当該音声ファイルと関連付けられた上記画像ファイルと、当該音声ファイル及び当該画像ファイルを関連付けた画像管理ファイルとを同一フォルダ内に格納する
ことを特徴とする請求項７に記載の記録再生方法。
【請求項９】
上記画像管理ファイルは、
１又は複数の上記画像ファイル内の上記画像情報にそれぞれ基づく各上記画像の中から代表画像が設定されたときに、当該設定された上記代表画像を特定するための情報を格納する領域が設けられた
ことを特徴とする請求項７に記載の記録再生方法。
【請求項１０】
上記第２のステップでは、
上記画像管理ファイルに基づいて、各上記音声情報の上記ファイルについてそれぞれ設定された上記代表画像の上記画像情報に基づくサムネイル画像を表示する
ことを特徴とする請求項９に記載の記録再生方法。
【請求項１１】
上記第１の外部操作は、
カメラシャッタボタンの押圧操作である
ことを特徴とする請求項７に記載の記録再生方法。
【請求項１２】
上記第２の外部操作は、
所定の操作子を操作して、上記表示手段に各上記画像と共に表示されたカーソルを、所望の上記画像を指すように移動させた後に当該操作子を操作して、選択対象として当該画像を決定する操作である
ことを特徴とする請求項７に記載の記録再生方法。
【発明の詳細な説明】
【技術分野】
【０００１】
本発明は、記録再生装置及び方法に関し、例えばカメラ付きＩＣレコーダに適用して好適なものである。
【背景技術】
【０００２】
従来、携帯型の音声記録再生装置として、ＩＣレコーダがある。このＩＣレコーダは、内蔵するマイクロホンによって外部音声集音し、得られた音声データを圧縮符号化処理して内蔵する半導体メモリや装填されたメモリスティック（ソニー株式会社  登録商標）等の外部メモリに記録するものである。
【０００３】
このようなＩＣレコーダは、小型軽量に構築され、可搬性にも優れているため、近年では会議や打ち合わせ等のビジネスシーンにおいて広く用いられている一方で、ビジネスシーン以外でもパーソナルユースの音声メモ機器としても広く用いられている。
【発明の開示】
【発明が解決しようとする課題】
【０００４】
ところで、近年、かかるＩＣレコーダに画像撮影機能を搭載し、録音中に撮影された画像をそのとき録音された音声と関連付けて記録することが提案されている（特開２００４−１３４９８３号公報）。
【０００５】
この場合において、かかる特開２００４−１３４９８３号公報では、録音により得られた音声データが格納された音声ファイルと、撮影により得られた画像データが格納された画像ファイルとを関連付けるリンク情報、つまり音声データと関連付けられている画像ファイルのファイル名や、画像ファイルが音声データのどこの時間位置にリンクされているかを示すリンク時間などのリンク情報が音声ファイルや画像ファイルのヘッダ部分に格納され、このリンク情報に基づいてパーソナルコンピュータにおいて音声ファイルと画像ファイルとの対応関係を認識できるようになされている。
【０００６】
しかしながらこのような特殊なフォーマットによると、既存のＩＣレコーダにおいて録音することにより得られた音声ファイルとの互換性を確保できず、例えば既存のＩＣレコーダとかかるカメラ付きＩＣレコーダとの間で音声ファイルのやり取りができるようにしたとしても、既存のＩＣレコーダを用いた録音により作成された音声ファイルをかかるカメラ付きＩＣレコーダにおいて再生したり、また逆にかかるカメラ付きＩＣレコーダを用いた録音により作成された音声ファイルを既存のＩＣレコーダにおいて再生することができない問題があった。
【０００７】
本発明は以上の点を考慮してなされたもので、既存の記録再生装置を用いて録音することにより得られた音声ファイルとの互換性を確保することによって、汎用性をもたせながら音声ファイルと画像ファイルとの関連付けを行い得る記録再生装置及び方法を提案しようとするものである。
【課題を解決するための手段】
【０００８】
かかる課題を解決するため本発明においては、携帯型の記録再生装置において、外部音を集音することにより得られた音声情報を用件単位でファイル化して所定の記録媒体に記録すると共に、所定の第１の外部操作に応じて、外部を撮影することにより得られた画像情報を対応する音声情報のファイルと関連付けて当該記録媒体に記録する記録手段と、各音声情報のファイルとそれぞれ関連付けられた画像情報に基づく各画像を表示する表示手段と、表示手段に表示された画像のうちの所定の第２の外部操作によって選択された画像と関連付けられた音声情報のファイルを再生する再生手段とを設け、記録手段が、音声情報と各画像情報とを関連付けた画像管理ファイルを作成し、再生手段が、当該画像管理ファイルに基づいて、表示手段に表示された画像のうちの所定の第２の外部操作によって選択された画像と関連付けられた音声情報のファイルを再生するようにした。
【０００９】
この結果この記録再生装置では、音声情報のファイルのファイルフォーマットとして既存の記録再生装置において使用されているファイルフォーマットを用いて、音声ファイルと画像ファイルとの関連付けを行うことができる。
【００１０】
また本発明においては、外部音を集音することにより得られた音声情報を用件単位でファイル化して所定の記録媒体に記録すると共に、所定の第１の外部操作に応じて、外部を撮影することにより得られた画像情報を対応する音声情報のファイルと関連付けて当該記録媒体に記録する第１のステップと、各音声情報のファイルとそれぞれ関連付けられた画像情報に基づく各画像を表示する第２のステップと、表示した画像のうちの所定の第２の外部操作によって選択された画像と関連付けられた音声情報のファイルを再生する第３のステップとを設け、第２のステップでは、音声情報と各画像情報とを関連付けた画像管理ファイルを作成し、第３のステップでは、当該画像管理ファイルに基づいて、表示した画像のうちの所定の第２の外部操作によって選択された画像と関連付けられた音声情報のファイルを再生するようにした。
【００１１】
この結果この記録再生方法によれば、音声情報のファイルのファイルフォーマットとして既存の記録再生装置において使用されているファイルフォーマットを用いて、音声ファイルと画像ファイルとの関連付けを行うことができる。
【発明の効果】
【００１２】
本発明によれば、外部音を集音することにより得られた音声情報を用件単位でファイル化して所定の記録媒体に記録すると共に、所定の第１の外部操作に応じて、外部を撮影することにより得られた画像情報を対応する音声情報のファイルと関連付けて当該記録媒体に記録し、各音声情報のファイルとそれぞれ関連付けられた画像情報に基づく各画像を表示し、表示した画像のうちの所定の第２の外部操作によって選択された画像と関連付けられた音声情報のファイルを再生するようにし、このとき画像情報を対応する音声情報のファイルと関連付けて当該記録媒体に記録する際には音声情報と各画像情報とを関連付けた画像管理ファイルを作成し、音声情報のファイルを再生するに際しては、画像管理ファイルに基づいて、表示した画像のうちの所定の第２の外部操作によって選択された画像と関連付けられた音声情報のファイルを再生するようにしたことにより、音音声情報のファイルのファイルフォーマットとして既存の記録再生装置において使用されているファイルフォーマットを用いて、音声ファイルと画像ファイルとの関連付けを行うことができ、かくして汎用性をもたせながら音声ファイルと画像ファイルとの関連付けを行い得る記録再生装置及び方法を実現できる。
【発明を実施するための最良の形態】
【００１３】
以下図面について、本発明の一実施の形態を詳述する。
【００１４】
（１）本実施の形態によるカメラ付きＩＣレコーダ１の構成
図１〜図３において、１は全体として本実施の形態によるカメラ付きＩＣレコーダ１を示し、全体として丸みを帯びた縦長形状の本体部２の上部に、ＣＣＤ（Charge Coupled Device）カメラ３が取り付けられたＬＣＤカバー部４が上方向（矢印ｚ方向）にスライド自在に配設されている。
【００１５】
本体部２においては、背面２Ａの上部左右両側にそれぞれ集音孔５Ａ、５Ｂが穿設されると共に、これら集音孔にそれぞれ対応させてその内部にマイクロホン２０Ａ、２０Ｂ（図５）が収納されており、かくしてこれらマイクロホン２０Ａ、２０Ｂが対応する集音孔５Ａ、５Ｂを介して外部音声を集音し得るようになされている。
【００１６】
また本体部２の前面２Ｂの中段位置には録音ボタン６Ａが配設されており、この録音ボタン６Ａを押圧操作することによって、各マイクロホン２０Ａ、２０Ｂにより集音された外部音声の録音動作を開始させることができるようになされている。
【００１７】
さらに本体部２の前面２Ｂの上段位置には、図３に示すように、高解像度のカラー液晶ディスプレイでなるＬＣＤ７が配設されている。そしてこのＬＣＤ７の下側には、ライブビューボタン６Ｂが配設されており、この図３のようにＬＣＤカバー部４を上方向に引き出して開状態にし、かつ後述のようにＬＣＤカバー部４のカメラカバー８をＣＣＤカメラ３が露出するように回転させた開状態にした状態において、このライブビューボタン６Ｂを押圧操作することによって、そのときＣＣＤカメラ３により撮影されている動画像をＬＣＤ７に表示させることができるようになされている。
【００１８】
さらに本体部２の前面２Ｂの中段におけるライブビューボタン６Ｂの左横には、カメラシャッタボタン６Ｃが配設されており、ＬＣＤ７に動画像が表示されている状態においてこのカメラシャッタボタン６Ｃを押圧操作することによって、ＬＣＤ７に表示されていた動画像のうちのカメラシャッタボタン６Ｃを押圧操作した瞬間の１フレーム分の静止画像を取り込んで保存させることができるようになされている。これによりこのカメラ付きＩＣレコーダ１においては、ＬＣＤ７に表示された動画像を目視確認しながら、所望の静止画像を記録し得るようになされている。
【００１９】
一方、本体部２の右側面２Ｃには、メニューボタン６Ｄが配設されており、このメニューボタン６Ｄを押圧操作することによって、ＬＣＤ７に所定のメニュー画面を表示させることができるようになされている。また本体部２の右側面２Ｃにおけるメニューボタン６Ｄの下側にはジョグレバー６Ｅが配設されており、このジョグレバー６Ｅを上下左右方向に倒すように操作したり、このジョグレバー６Ｅを押圧操作することによって、メニュー画面内に表示された各種選択肢の中から所望の選択肢を選択したり、その選択肢を選択対象として決定することができるようになされている。
【００２０】
さらに本体部２の右側面２Ｃにおけるジョグレバー６Ｅの下側には、停止ボタン６Ｆが配設されると共に、当該停止ボタン６Ｆの下側にはボリュームボタン６Ｇが配設されており、この停止ボタン６Ｆを押圧操作することによって録音動作や再生動作を停止させることができ、また再生動作時にボリュームボタン６Ｇの上側又は下側を押圧操作することによって、このときＬＣＤ７の裏側に配設されたスピーカ３２（図５）から出力される再生音声の音量を上げ又は下げることができるようになされている。
【００２１】
さらに本体部２の右側面２Ｃにおけるボリュームボタン６Ｇの下側には、ボイスアップスイッチ６Ｈが配設されており、このボイスアップスイッチ６Ｈを再生動作時にオン設定しておくことによって、録音動作時に大きな音量で録音された音声の音量をそのままに維持しながら、小さい音量で録音された音声を大きな音量で出力させることができるようになされている。
【００２２】
他方、本体部２の左側面２Ｄには、電源コネクタ９が配設されており、所定の電源供給キットのプラグをこの電源コネクタ９に挿入することによって、このカメラ付きＩＣレコーダ１に電源電圧を供給したり、当該カメラ付きＩＣレコーダ１内に内蔵された図示しない電池に対する充電を行い得るようになされている。
【００２３】
また本体部２の左側面２Ｄにおける電源コネクタ９の下側には、ＵＳＢ（Universal Serial Bus）コネクタ１０が配設されており、このＵＳＢコネクタ１０を介してパーソナルコンピュータ等の外部機器とＵＳＢ接続することができるようになされている。これによりこのカメラ付きＩＣレコーダ１においては、かかるＵＳＢ接続された外部機器との間でこのカメラ付きＩＣレコーダ１に保存された録音音声の音声データや録画画像の画像データを外部機器に出力したり、当該外部機器から与えられる音声データや画像データを取り込み得るようになされている。
【００２４】
なお本体部２の前面２ＢにおけるＬＣＤ７の直下には、充電時に点灯する充電用ＬＥＤ（Light Emitting Diode）１１と、録音動作時や再生動作時に点灯するオペレーション用ＬＥＤ１２とが配設されており、かくしてユーザがこれら充電用ＬＥＤ１１及びオペレーション用ＬＥＤ１２の点滅状態に基づいて充電や録音等が確実に行われているか否かを容易に検知し得るようになされている。
【００２５】
さらに本体部２の下側面２Ｅには、マイクロホンジャック１３及びヘッドホンジャック１４が配設されており、かくしてマイクロホンジャック１３に図示しない外部のマイクロホンの出力プラグを挿入することによって、当該マイクロホンにより集音された外部音声を取り込んで録音でき、またヘッドホンジャック１４に図示しない外部のヘッドホンの入力プラグを挿入することによって、再生動作時に再生された録音音声を当該ヘッドホンにより聞くことができるようになされている。
【００２６】
これに対してＬＣＤカバー部４においては、図１及び図２のように閉じられた閉状態時において本体部２のＬＣＤ７の２／３程度を覆うようにその外形形状が選定されている。これによりこのカメラ付きＩＣレコーダ１においては、不使用時にはＬＣＤカバー部４を閉状態にすることでＬＣＤ７を当該ＬＣＤカバー部４によって保護することができる一方、使用の際には図３のようにこのＬＣＤカバー部４を上方向に引き出して開状態にすることで、ＬＣＤ７を露出させて当該ＬＣＤ７に表示されるメニュー画面等をユーザが目視できるようになされている。
【００２７】
またＬＣＤカバー部４の上部には、円柱形状のカメラカバー８が回転自在に配設されると共に、このカメラカバー８の所定位置には、上述のＣＣＤカメラ３がその光学軸を当該カメラカバー８の中心軸と垂直な方向に向けて取り付けられている。
【００２８】
この場合において、カメラカバー８は、図４（Ａ）のようにＣＣＤカメラ３がＬＣＤカバー部４内に隠れた回転位置（以下、この回転位置を原点位置と呼ぶ）から図４（Ｄ）のようにＣＣＤカメラ３の光学軸が本体部２の前面２Ｂの法線方向とほぼ一致する回転位置（以下、この回転位置を終点位置と呼ぶ）までの範囲内において矢印ａ方向又はこれと逆方向に回転させることができるようになされている。
【００２９】
これによりこのカメラ付きＩＣレコーダ１においては、図４（Ａ）のようにカメラカバー８を原点位置に位置させた閉状態にすることで不使用時のＣＣＤカメラ３を保護する一方、この状態からカメラカバー８を矢印ａ方向に回転させて、図４（Ｂ）のようにＣＣＤカメラ３が本体部２の背面２Ａ側に露出した開状態にすることによって、ＬＣＤ７に表示される動画像を目視しながら所望の画像を撮影でき、この状態からさらにカメラカバー８を終点位置にまで矢印ａ方向に回転させることによって、図４（Ｃ）のようにＬＣＤ７に表示される動画像を目視しながらユーザ自身の顔をも撮影することができるようになされている。
【００３０】
なおカメラカバー８にはマクロスイッチ６Ｉが配設されており、このマクロスイッチ６Ｉをオン設定することによって、ＣＣＤカメラ８を被写体に近づけた接写にも対応し得るマクロモードを設定し得るようになされている。この場合において、かかるマクロスイッチ６Ｉの配設位置は、ＣＣＤカメラ３と180〔°〕ずれた位置に選定されており、これによりＬＣＤに表示される動画像に基づきマクロモードの必要性を判断した上で、必要と判断したときにユーザがマクロスイッチ６Ｉを容易にオン設定することができるようになされている。
【００３１】
（２）カメラ付きＩＣレコーダ１の内部構成
ここで図５は、このカメラ付きＩＣレコーダ１の内部構成を示すものである。
【００３２】
このカメラ付きＩＣレコーダ１では、電源投入時、マイクロホン２０Ａ、２０Ｂが外部音声を集音し、得られた音声信号Ｓ１を増幅器２１を介してＡＤ(Analog Digital)／ＤＡ(Digital Analog)コンバータ２２に送出する。またＡＤ／ＤＡコンバータ２２は、マイクロホン２０Ａ、２０Ｂから与えられる音声信号Ｓ１を順次ディジタル変換処理し、得られた音声データＤ１をデータ処理及び制御部２３に順次送出する。
【００３３】
データ処理及び制御部２３は、このカメラ付きＩＣレコーダ１全体の制御を司るＣＰＵ(Central Processing Unit)２４、各種プログラムが格納されたＲＯＭ(Read Only Memory)２５、当該ＣＰＵ２４のワークメモリとしてのＲＡＭ(Random Access Memory)２６及び内蔵タイマ２７を含んでなるマイクロコンピュータ構成の制御部２８と、音声データＤ１及び後述する画像データＤ３に対するデータ圧縮伸張機能を有するＤＳＰ(Digital Signal Processor)２９とから構成される。
【００３４】
そしてデータ処理及び制御部２３の制御部２８には、操作部６を構成する上述の録音ボタン６Ａ、ライブビューボタン６Ｂ、カメラシャッタボタン６Ｃ、メニューボタン６Ｄ、ジョグレバー６Ｅ、停止ボタン６Ｆ、ボリュームスイッチ６Ｇ、ボイスアップスイッチ６Ｈ及びマクロスイッチ６Ｉのいずれかが操作されたときに、これに応じた操作入力信号Ｓ２が操作部６から与えられる。
【００３５】
また制御部２８には、ＬＣＤカバー部４内に設けられた対応するセンサ（図示せず）から、ＬＣＤカバー部４が閉状態（図１及び図２）及び開状態（図３）のいずれの状態にあるかを表すＬＣＤカバー状態信号Ｓ３と、カメラカバー８が閉状態（図４（Ａ））及び開状態（図４（Ｂ）及び４（Ｃ））のいずれの状態にあるかを表すカメラカバー状態信号Ｓ４とがそれぞれ与えられる。
【００３６】
かくして制御部２８のＣＰＵ２４は、操作入力信号Ｓ２に基づいてユーザ操作の操作内容を認識すると共に、ＬＣＤカバー状態信号Ｓ３及びカメラカバー状態信号Ｓ４に基づいて現在のＬＣＤカバー部４及びカメラカバー８の状態を検知し、これら認識及び検知結果とＲＯＭ２５に格納された各種制御プログラムとに基づいて対応する各種制御処理を実行する。
【００３７】
実際上、ＣＰＵ２４は、操作入力信号Ｓ２に基づき操作部６の録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の少なくともいずれか一方が閉状態にあることを検知したときには、これに応じて動作モードを録音モードに遷移してＤＳＰ２９を制御する。かくしてこのときＤＳＰ２９は、かかるＣＰＵ２４の制御のもとに、ＡＤ／ＤＡコンバータ２２から与えられる音声データＤ１に対してＬＰＥＣ（ソニー株式会社  登録商標）等の所定の音声圧縮方式に準拠した音声圧縮処理を施し、得られた圧縮音声データＤ２を順次フラッシュメモリ３０に格納する。
【００３８】
またＣＰＵ２４は、この後操作入力信号Ｓ２に基づき停止ボタン６Ｆが押圧操作されたことを認識すると、ＤＳＰ２９を制御することにより、ＡＤ／ＤＡコンバータ２２から与えられる音声データＤ１に対する音声圧縮処理を停止させる一方、そのときユーザにより選択されていたフォルダ（図７の「FOLDER1」〜「FOLDER3」）内に新たな用件フォルダ（図７の「03072400」〜「03072408」）を生成し、かかる圧縮音声データＤ２を既存のＩＣレコーダにおいて採用されている音声ファイルフォーマットと同じファイルフォーマットでファイル化し、かくして得られた音声ファイル（図７の「03072400.MSV」）をその用件フォルダに収納して、その用件フォルダの管理情報を後述の管理ファイルＭＳＦ（図８）に格納する。
【００３９】
またＣＰＵ２４は、ＬＣＤカバー状態信号Ｓ３及びカメラカバー状態信号Ｓ４に基づきＬＣＤカバー部４及びカメラカバー８の双方が開状態となったことを検知すると、動作モードをカメラモードに遷移させて、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００４０】
そしてＣＰＵ２４は、この状態において操作入力信号Ｓ２に基づきライブビューボタン６Ｂが押圧操作されたことを認識すると、これに応じてＤＳＰ２９を制御する。かくしてこのときＤＳＰ２９は、かかるＣＣＤカメラ３から与えられる画像信号Ｓ５を順次ディジタル変換し、得られた画像データＤ３をＬＣＤ７に送出する。この結果、この画像データＤ３に基づくそのときＣＣＤカメラ３により撮影されている光景の動画像がリアルタイムでＬＣＤ７に表示される。
【００４１】
さらにＣＰＵ２４は、この後この状態において操作入力信号Ｓ２に基づきカメラシャッタボタン６Ｃが押圧操作されたことを認識すると、これに応じてＤＳＰ２９を制御する。かくして、このときＤＳＰ２９は、画像データＤ３に基づき得られるそのカメラシャッタボタン６Ｃが押圧された瞬間の１フレーム分の静止画像の画像データＤ３を取り込み、この取り込んだ画像データＤ３に対して例えばＪＰＥＧ(Joint Photographic Experts Group)等の所定の画像圧縮方式に準拠した画像圧縮処理を施し、得られた圧縮画像データＤ４をフラッシュメモリ３０に格納する。
【００４２】
そしてＣＰＵ２４は、この後そのときユーザにより選択されていたフォルダ内に新たな用件フォルダを生成し、かかる圧縮画像データＤ４からなる画像ファイル（図７の「P0000000.JPG」〜「P0000003.JPG」）をその用件フォルダに収納して、その用件フォルダの管理情報を管理ファイルＭＳＦに格納する。
【００４３】
一方、ＣＰＵ２４は、操作入力信号Ｓ２に基づき録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の双方が開状態にあることを検知したときには、動作モードを録音録画モードに遷移させると共に、これに応じてＤＳＰ２９を制御する。
【００４４】
このときＤＳＰ２９は、上述した録音モード時と同様にＡＤ／ＤＡコンバータ２２から与えられる音声データＤ１に対して順次所定の音声圧縮処理を施し、得られた圧縮音声データＤ２をフラッシュメモリ３０に格納する。またこのときＤＳＰ２９は、上述したカメラモード時と同様に、ＣＣＤカメラ３から与えられる画像信号Ｓ５を順次ディジタル変換し、得られた画像データＤ３をＬＣＤ７に送出する。この結果ＬＣＤ７には、この画像データＤ３に基づくそのときＣＣＤカメラ３により撮影されている光景の動画像がリアルタイムで表示される。
【００４５】
さらにＣＰＵ２４は、この後この状態において操作入力信号Ｓ２に基づきカメラシャッタボタン６Ｃが押圧操作されたことを認識すると、これに応じてＤＳＰ２９を制御する。このときＤＳＰ２９は、カメラモード時と同様に、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。
【００４６】
またＤＳＰ２９は、この後かかる画像圧縮処理により得られた圧縮画像データＤ４を、そのカメラシャッタボタン６Ｃが押圧操作された瞬間を後に検索する際の目印となる画像（以下、これをブックマーク画像と呼ぶ）の圧縮画像データＤ４として、そのときフラッシュメモリ３０に順次格納している圧縮音声データＤ２の対応する位置と関連付けてフラッシュメモリ３０に格納する。
【００４７】
そしてＣＰＵ２４は、この後操作入力信号Ｓ２に基づき停止ボタン６Ｆが押圧操作されたことを認識すると、そのときユーザにより選択されていたフォルダ内に新たな用件フォルダを生成し、かかる圧縮音声データＤ２からなる音声ファイルと、当該音声ファイルと関連付けられた上述の各圧縮画像データＤ４でなる各画像ファイルとをその用件フォルダに収納して、その用件フォルダの管理情報を管理ファイルＭＳＦに格納する。
【００４８】
このようにしてこのカメラ付きＩＣレコーダ１においては、音声及び静止画像をそれぞれ独立して記録できるだけでなく、静止画像を録音中の音声と関連付けてブックマーク画像として記録することもできるようになされている。
【００４９】
そしてこのカメラ付きＩＣレコーダ１では、このように音声と関連付けて記録されたブックマーク画像に基づいて、所望する用件フォルダや用件フォルダ内の所望の音声位置を検索できる。
【００５０】
実際上、ＣＰＵ２４は、ジョグレバー６Ｅが押圧操作されて、所望するフォルダ内の所望する用件フォルダを選択するための選択画面（以下、これを用件フォルダ選択画面と呼ぶ）又はその用件フォルダ内の所望するブックマーク画像を選択するための選択画面（以下、これをブックマーク画像選択画面と呼ぶ）の表示命令が入力されたことを操作入力信号Ｓ２に基づき認識すると、対応する画像データＤ３をＲＯＭ２５から読み出してＬＣＤ７に送出することにより、図６に示すような用件フォルダ選択画面３３や、当該用件フォルダ選択画面３３と同様構成のブックマーク画像選択画面３４（図６）をＬＣＤ７に表示させる。
【００５１】
この場合においてＣＰＵ２４は、用件フォルダ選択画面３３をＬＣＤ７に表示させるに際しては、そのフォルダ内の用件フォルダ毎に、それぞれその用件フォルダについて予め設定された代表的なブックマーク画像（以下、これを代表画像と呼ぶ）の画像ファイル（圧縮画像データＤ４）をフラッシュメモリ３０から読み出し、これをＤＳＰ２９に復号化処理させて、得られた画像データＤ３に基づき所定サイズのサムネイル画像Ｐ１〜Ｐ６を作成する。
【００５２】
そしてＣＰＵ２４は、この図６に示すように、かくして得られた用件フォルダ毎のサムネイル画像Ｐ１〜Ｐ６を用件フォルダ選択画面３３内に一覧表示させる。なお、このとき音声のみの静止画像を含まない用件フォルダについては、サムネイル画像に代えて所定のアイコンが表示される。
【００５３】
またＣＰＵ２４は、その後ジョグレバー６Ｅが操作されて、用件フォルダ選択画面３３内の１つのサムネイル画像Ｐ１〜Ｐ６が選択されると、上述した管理ファイルＭＳＦ（図８）に基づいて、対応する用件フォルダ内の音声ファイル（圧縮音声データＤ２）をフラッシュメモリ３０から読み出し、これをＤＳＰ２９に復号化処理させる。
【００５４】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、このときこの音声信号Ｓ６に基づく音声がスピーカ３２から出力される。
【００５５】
これと同様に、ＣＰＵ２４は、ブックマーク画像選択画面３４（図６）をＬＣＤ７に表示させる際には、かかる管理ファイルＭＳＦに基づいて、対応する用件フォルダ内の各ブックマーク画像の画像ファイル（圧縮像データＤ４）をフラッシュメモリ３０から読み出し、これらをＤＳＰ２９に復号化処理させて、得られた各画像データＤ３に基づき所定サイズのサムネイル画像Ｐ１〜Ｐ６をそれぞれ作成する。そしてＣＰＵ２４は、このようにして得られたブックマーク画像毎のサムネイル画像Ｐ１〜Ｐ６を、ブックマーク画像選択画面３４内に一覧表示させる。
【００５６】
またＣＰＵ２４は、その後ジョグレバー６Ｅが操作されて、ブックマーク画像選択画面３４内の１つのサムネイル画像Ｐ１〜Ｐ６が選択されると、フラッシュメモリ３０から対応する音声ファイルにおけるそのサムネイル画像Ｐ１〜Ｐ６の元のブックマーク画像と対応付けられた音声部分以降の圧縮音声データＤ２を読み出し、これをＤＳＰ２９に復号化処理させる。
【００５７】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、この音声信号Ｓ６に基づいて、選択された用件フォルダにおけるユーザにより選択されたブックマーク画像と対応付けられた音声位置以降の音声がスピーカ３２から出力される。
【００５８】
このようにしてこのカメラ付きＩＣレコーダ１においては、用件フォルダの代表画像や用件ファイル内の各ブックマーク画像に基づいて、所望する用件フォルダや、用件フォルダ内の所望する音声位置に迅速かつ容易にアクセスし得るようになされている。
【００５９】
かかる構成に加えてこのカメラ付きＩＣレコーダ１の場合、音声ファイルを含む用件フォルダについては、当該音声ファイルの再生時に新たなブックマーク画像を記録することができ、また画像ファイルのみを含む用件フォルダについては、後から音声を関連付けて記録することもできるようになされている。
【００６０】
実際上、ＣＰＵ２４は、ＬＣＤカバー状態信号Ｓ３及びカメラカバー状態信号Ｓ４に基づきＬＣＤカバー部４及びカメラカバー８の双方が開状態にあることを検知しており、ユーザにより選択された用件フォルダの音声ファイルを上述のように再生している状態において、操作入力信号Ｓ２に基づきカメラシャッタボタン６Ｃが押圧操作されたことを認識すると、これに応じてＤＳＰ２９を制御する。
【００６１】
このときＤＳＰ２９は、かかるＣＰＵ２４の制御のもとに、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。そしてＤＳＰ２９は、この後かかる画像圧縮処理により得られた圧縮画像データＤ４を、そのカメラシャッタボタン６Ｃが押圧操作された瞬間のブックマーク画像の画像ファイルとして、そのとき再生している音声ファイルと関連付けてフラッシュメモリ３０に格納する。
【００６２】
一方、ＣＰＵ２４は、ＬＣＤ７に表示された用件フォルダ選択画面３３（図６）において、画像ファイルのみからなる用件フォルダが選択され、ジョグレバー６Ｅを用いた所定操作により当該用件フォルダについて追加録音する旨の命令が入力された後に、録音ボタン６Ａが押圧操作されたことを操作入力信号Ｓ２に基づき認識すると、これに応じてＤＳＰ２９を制御する。
【００６３】
かくしてこのときＤＳＰ２９は、かかるＣＰＵ２４の制御のもとに、ＡＤ／ＤＡコンバータ２２から与えられる音声データＤ１に対して音声圧縮処理を施し、得られた圧縮音声データＤ２を音声ファイルとしてその画像ファイルと関連付けてフラッシュメモリ３０に格納する。因みにこの場合、元の画像ファイルに基づく静止画像は、追加記録された音声の先頭位置のブックマーク画像に自動設定される。
【００６４】
このようにしてこのカメラ付きＩＣレコーダにおいては、記録音声の所望位置に後から自由にブックマーク画像を追加記録したり、記録された静止画像に後から音声を関連付けて追加記録できるようにすることで、記録音声の所望部分の検索性を向上させたり、ＩＣレコーダとしての機能性を向上させ得るようになされている。
【００６５】
（３）カメラ付きＩＣレコーダ１におけるデータ管理フォーマットのディレクトリ構造
次に、このカメラ付きＩＣレコーダ１に採用されている、圧縮音声データＤ２や圧縮映像データＤ４のデータ管理フォーマットであるボイスケープフォーマット（Voiscape Format）のディレクトリ構造について説明する。
【００６６】
図７は、かかるボイスケープフォーマットのディレクトリ構造を示すものである。この図７に示すように、録音音声の音声ファイル（「03072400.MSV」）やこれに関連づけて記録されたブックマーク画像の画像ファイル（「P0000000.JPG」〜「P0000003.JPG」）は、「MSSONY」というフォルダ内に作成された「VOISCAPE」というフォルダに格納される。
【００６７】
用件フォルダを収納するフォルダ（「FOLDER1」〜「FOLDER3」）は、この「VOISCAPE」内に存在し、ユーザはこれらフォルダの中から録音音声の音声ファイル等の格納場所として所望のフォルダを選択したり、新たにフォルダを作成することができる。
【００６８】
また「VOISCAPE」には、作成された用件フォルダを管理するための上述の管理ファイルＭＳＦ（「MSGLIST.MSF」）も収納される。この管理ファイルＭＳＦは、図８に示すように、当該管理ファイルＭＳＦを最後に編集した年月日、時分秒及び曜日等が記述された32〔Byte〕のヘッダ（「Header」）の後に、各フォルダ（「FOLDER1」〜「FOLDER3」）のフォルダ名等が記述されたフォルダエントリ（「Folder Entry」）と、そのフォルダ内に作成された各用件フォルダのフォルダ名及びその用件フォルダの作成日時等が記述されたメッセージエントリ（「Message Entry」）とがフォルダごとに順次記述されたデータ構造を有する。
【００６９】
そしてこのボイスケープフォーマットでは、新たなフォルダや新たな用件フォルダが作成されたときには、上述のような各種管理情報が記述されたフォルダエントリやメッセージエントリが管理ファイルＭＳＦに必ず登録される。これによりこのボイスケープフォーマットでは、この管理ファイルＭＳＦに基づいて、所望の用件ファイルがどのフォルダ内にあるかを確実かつ迅速に検索することができるようになされている。
【００７０】
さらに各フォルダ（「FOLDER1」〜「FOLDER3」）内には、それぞれユーザの使用状況に応じて１又は複数の用件フォルダ（「03072400」〜「03072408」）が作成され、これら各用件フォルダ内に、録音により得られた圧縮音声データＤ２の音声ファイル（「03072400.MSV」）と、かかる録音中に撮影された各ブックマーク画像の圧縮画像データＤ４の画像ファイル（「P0000000.JPG」〜「P0000003.JPG」）と、各画像ファイルを管理するための画像管理ファイルＰＩＮ（「03072400.PIN」）とが収納される。なお上述のように、かかる音声ファイルは、既存のＩＣレコーダにおいて採用されている音声ファイルのフォーマットと同じファイルフォーマットを有する。
【００７１】
画像管理ファイルＰＩＮは、図９に示すように、この画像管理ファイルＰＩＮを最後に編集した年月日、時分秒及び曜日等が記述されたヘッダ（「Header」）の後に、複数のピクチャエントリ（「Picture Entry」）が配置されたデータ構造を有する。
【００７２】
この場合、１番目のピクチャエントリには、代表画像が設定されている場合のそのブックマーク画像の画像ファイルのファイル名及び当該ブックマーク画像の音声ファイル（音声データＤ１）に対する対応位置（時・分・秒）等が記述される。なお、代表画像が設定されていない場合には、各ピクチャエントリの先頭に記述される当該領域がピクチャエントリであることを示すピクチャＩＤ以外の当該１番目のピクチャエントリのすべての部分にゼロデータが格納される。
【００７３】
また２番目以降のピクチャエントリには、対応する音声の録音中に撮影された各ブックマーク画像の画像ファイルのファイル名及びそのブックマーク画像の当該音声に対する対応位置（時、分及び秒）等が記述される。この場合、２番目以降のピクチャエントリは、新たなブックマーク画像の画像ファイルが記録されるごとに順次後ろに付加されるものであるため、画像管理ファイルＰＩＮにおける２番目以降のピクチャエントリの並び順が、そのまま対応する音声の先頭からのその画像ファイルが対応付けられた位置の順番を表すこととなる。
【００７４】
このようにしてこのボイスケープフォーマットでは、この画像管理ファイルＰＩＮに基づいて、その用件フォルダの代表画像や各ブックマーク画像の音声に対する対応位置を検索することができる。またこのように音声ファイルとこれに関連付けられた各ブックマーク画像の画像ファイルとを同一のフォルダ（用件フォルダ）内に収納することによって、これらデータを外部のパーソナルコンピュータに取り込んでエクスプローラで見たときに、音声ファイルと画像ファイルとの関連を認識し易く、この結果ユーザが誤って音声ファイルや画像ファイルを削除するのを抑止し得るようになされている。
【００７５】
なお、画像管理ファイルＰＩＮにおけるヘッダ及びピクチャエントリの具体的なデータ構成を図１１及び図１２にそれぞれ示す。
【００７６】
図１１からも明らかなように、画像管理ファイルＰＩＮのヘッダ（「HEADER」）は、ピクチャインデックスＩＤ情報（「PIND-ID」）、バージョン情報（「FMT-VER」）、メーカコード情報（「MCode」）、最終編集日時情報（「YMDHMSW」）、エントリ総数情報（「ENTRY-NUM」）、ピクチャエントリサイズ情報（「PSIZE」）、オフセット情報（「OFFSET」）、文字コード情報（「CCODE」）及びリザーブ（「R」）から構成される。
【００７７】
この場合、ピクチャインデックスＩＤ情報（「PIND-ID」）は、このファイルが画像管理ファイルＰＩＮであることを示すＩＤを表しており、所定の固定値が使用される。またバージョン情報（「FMT-VER」）は、このボイススケープフォーマットのバージョン番号を示すものであり、対応するコードが格納される。
【００７８】
さらにメーカコード情報（「MCode」）は、この画像管理ファイルＰＩＮを最後に編集した機器のメーカやモデルを示す情報であり、対応するコードが格納され、最終編集日時情報（「YMDHMSW」）は、この画像管理ファイルＰＩＮを最後に編集した年月日、時分秒及び曜日を示す情報であり、新たなブックマーク画像が記録されてそのピクチャエントリが付加されるなどするごとに更新される。
【００７９】
さらにエントリ総数情報（「ENTRY-NUM」）は、この画像ファイルに登録されているピクチャエントリの総数（対応する用件フォルダに収納されているブックマーク画像の総数に相当）を示すものであり、新たなピクチャエントリが登録されるごとに更新され、ピクチャエントリサイズ情報（「PSIZE」）は、この画像管理ファイルＰＩＮにおけるピクチャエントリの１つ当たりのデータサイズを示すものであり、バイト（Byte）単位で記述される。
【００８０】
さらにオフセット情報（「OFFSET」）は、１番目のピクチャエントリの開始位置を、当該画像管理ファイルＰＩＮの先頭からのオフセットで表したものであり、バイト（Byte）単位で記述され、文字コード情報（「CCODE」）は、この画像管理ファイルＰＩＮで使用している文字コード及び言語を示すものである。
【００８１】
一方、図１１からも明らかなように、画像管理ファイルＰＩＮのピクチャエントリ（「Picture Entry」）は、ピクチャエントリＩＤ情報（「PID」）、画像属性情報（「PIA」）、対応位置情報（「POSITION」）、ファイル名情報（「FILE-NAME」）及びリザーブ（「R」）から構成される。
【００８２】
この場合、ピクチャエントリＩＤ情報（「PID」）は、ピクチャエントリの先頭を示すＩＤを表すものであり、所定の固定値が格納される。また画像属性情報（「PIA」）は、対応するブックマーク画像が撮影により得られた静止画像であるのか、又は予め用意されたアイコンであるのかを表す情報であり、撮影により得られた静止画像である場合にはその画像ファイルのファイル名が格納され、予め用意されたアイコンである場合には、そのアイコンに対して予め付与されているアイコン番号が格納される。
【００８３】
さらに対応位置情報（「POSITION」）は、同一用件フォルダ内の音声ファイルにおける対応するブックマーク画像の対応位置を表すものであり、当該音声ファイルに基づく音声の先頭からのオフセット量がミリ秒単位で記述される。なお、１番目のピクチャエントリにおける対応位置情報は、「０」に固定となる。さらにファイル名情報（「FILE-NAME」）は、対応するブックマーク画像の画像ファイルのファイル名を表すものである。
【００８４】
（４）用件フォルダ選択画面３３等における操作方法
次に、図６について上述した用件フォルダ選択画面３３及びブックマーク画像選択画面３４における操作方法について説明する。ただし、用件フォルダ選択画面３３及びブックマーク画像選択画面３４における操作方法は全く同じであるので、以下においては、用件フォルダ選択画面３４を例に説明する。
【００８５】
このカメラ付きＩＣレコーダ１では、上述のように所定操作により、図６に示す用件フォルダ選択画面３３をＬＣＤ７に表示させることができる。
【００８６】
この場合、この用件フォルダ選択画面３３には、親階層のフォルダのフォルダ名を表示するための親階層情報表示部４０と、例えばスクロールバーでなるページ情報表示部４１と、それぞれフラッシュ３０のメモリ残量又は電源のエネルギー残量を表示するためのメモリ残量表示部４２及び電源残量表示部４３と、それぞれアラームマーク又はリピートモードが設定されているときのリピートマークを表示するためのアラームマーク表示部４４及びリピートマーク表示部４５と、後述するカーソル５０がそのフォルダに含まれる用件フォルダの総数のうちの何番目の用件フォルダを指しているかを表示するための位置表示部４７と、音声フォルダが再生されているときの再生開始から現在までの経過時間を表示するためのカウンタ表示部４８と、現在の階層位置（フォルダ階層、用件階層又はブックマーク階層）を表示するための階層表示部４９とが設けられている。
【００８７】
なおこのカメラ付きＩＣレコーダ１の場合、階層としては、上位階層から順に「フォルダ階層」、「用件階層」及び「ブックマーク階層」の３種類がある。従って、用件フォルダ選択画面３３の場合には、そのとき選択されているフォルダのフォルダ名が親階層情報表示部４０に表示され、ジョグレバー６Ｅを操作して階層切替えを行ったときには、表示画面がそのときカーソル５０が指していた用件フォルダについてのブックマーク選択画面３４に切り替わる。因みに、ブックマーク画像選択画面３４の場合には、そのとき選択されている用件フォルダのフォルダ名が親階層情報表示部４０に表示され、ジョグレバー６Ｅを操作して階層切替えを行ったときには、表示画面が所望のフォルダを選択するための図示しない所定のフォルダ選択画面に切り替わる。
【００８８】
そして用件フォルダ選択画面３３においては、初期時、選択されたフォルダに収納された各用件フォルダのうちの作成日時の早い上位６つの用件フォルダについて、その用件フォルダの代表画像として予め設定されたブックマーク画像のサムネイル画像Ｐ１〜Ｐ６が当該用件フォルダ内の画像管理フォルダ（図９の「Picture Entry」）に基づいて一覧表示される。このときその用件フォルダが画像ファイルを含まない音声ファイルのみのものであるときや、代表画像が設定されていないときなどには、上述のように予め定められたアイコンが表示される。
【００８９】
またこの用件フォルダ選択画面３３では、１つのサムネイル画像Ｐ１〜Ｐ６を取り囲む（以下、この状態をその「サムネイル画像Ｐ１〜Ｐ６を指す」と呼ぶ）ようにカーソル５０が表示される。そしてユーザは、音声ファイルの再生中又は再生停止中にジョグレバー６Ｅ（図１〜図３）を送り（「FF」）側に長押しすることによって、このカーソル５０を次の用件フォルダのサムネイル画像Ｐ１〜Ｐ６を指すように順次移動させることができ、これに対して音声ファイルの再生中又は再生停止中にジョグレバー６Ｅを戻り（「FR」）側に長押しすることによって、カーソル５０を前の用件フォルダのサムネイル画像Ｐ１〜Ｐ６を指すように順次移動させることができる。
【００９０】
さらに用件フォルダ選択画面３３では、カーソル５０がそのとき表示されている６つのサムネイル画像Ｐ１〜Ｐ６のうちの最後の用件フォルダのサムネイル画像Ｐ６を指している状態において、さらにジョグレバー６Ｅを送り（「FF」）側に長押しすることによって、図１２に示すように、そのフォルダに収納された次の６つの用件フォルダについて、その用件フォルダの代表画像として予め設定されたブックマーク画像のサムネイル画像Ｐ１〜Ｐ６を順次表示させることができる。
【００９１】
同様に、用件フォルダ選択画面３３では、カーソル５０がそのとき表示されている６つのサムネイル画像Ｐ１〜Ｐ６のうちの最初の用件フォルダのサムネイル画像Ｐ１を指している状態において、さらにジョグレバーを戻り（「FR」）側に長押しすることによって、図１２に示すように、そのフォルダに収納された前の６つの用件フォルダについて、その用件フォルダの代表画像として予め設定されたブックマーク画像のサムネイル画像Ｐ１〜Ｐ６を順次表示させることができる。
【００９２】
かくしてユーザは、このようなジョグレバー６Ｅの操作によって、用件フォルダ選択画面３３に表示されたサムネイル画像Ｐ１〜Ｐ６に基づいて所望する用件フォルダを探すことができ、当該用件フォルダを検出したときには、その用件フォルダの代表画像のサムネイル画像Ｐ１〜Ｐ６を指すようにカーソル５０を移動させ、その後ジョグレバー６Ｅを押圧操作することで、その用件フォルダを選択対象として決定することができる。この結果、かかる決定された用件フォルダ内の音声ファイルが再生されて、その再生音声がスピーカ２７（図５）から出力される。
【００９３】
このようにしてこのカメラ付きＩＣレコーダ１においては、所望する用件フォルダを各用件フォルダについて設定された代表画像に基づいて検索することができるようになされている。
【００９４】
なお用件フォルダ選択画面３３においては、音声ファイルの再生停止中にジョグレバー６Ｅを送り（「FF」）側又は戻り（「FR」）側に長押しし続けた場合、図１３に示すように、当初３秒間は低速（例えば0.4〔秒／件〕）、その後の３秒間は中速（例えば0.2〔秒／件〕）、さらにその後は高速（例えば0.2〔秒／ページ（６件）〕）でカーソル５０が移動するようになされている。ただし、そのフォルダ内の最後の用件フォルダ（最後に作成された用件フォルダ）から当該フォルダ内の先頭の用件フォルダ（最初に作成された用件フォルダ）に移るときやその逆のときには、上述のような連続送り又は戻しが一旦停止されて、当該連続送り又は戻しが最初から（カーソル移動が低速から）開始される。
【００９５】
このようにこのカメラ付きＩＣレコーダ１においては、ジョグレバー６Ｅの操作状態に応じてカーソル５０の移動速度を変化させることで、ユーザが所望する用件フォルダにより迅速にアクセスし得るようになされている。
【００９６】
（５）ＣＰＵ２４の具体的処理
ここで制御部２３（図５）のＣＰＵ２４（図５）は、録音ボタンが押圧操作されると、ＲＯＭ２５（図５）に格納された制御プログラムに基づき、図１４に示す録音制御処理手順ＲＴ１に従って、カメラ付きＩＣレコーダ１に録音動作を実行させる。
【００９７】
すなわちＣＰＵ２４は、録音ボタン６Ａ（図１）が押圧操作されるとこの録音制御処理手順ＲＴ１をステップＳＰ０において開始し、続くステップＳＰ１においてＤＳＰ２９（図５）を制御することにより、このときＡＤ／ＤＡコンバータ２２（図５）から出力される音声データＤ１に対する音声圧縮処理及び得られた圧縮音声データＤ４のフラッシュメモリ３０（図５）への格納処理を開始（録音動作を開始）させる。
【００９８】
続いてＣＰＵ２４は、ステップＳＰ２に進んで、そのときユーザが選択していたフォルダ（図７の「FOLDER1」〜「FOLDER3」）内に、このときフラッシュメモリ３０に格納される圧縮音声データＤ４と対応付けた用件フォルダを作成すると共に、当該用件フォルダを管理ファイルＭＳＦ（図８）に登録する。またこのときＣＰＵ２４は、その用件フォルダ内に画像管理ファイルＰＩＮ（図９）を作成する。
【００９９】
次いでＣＰＵ２４は、ステップＳＰ３に進んで、このときカメラシャッタボタン６Ａ（図１）が押圧操作されて静止画像が撮影されたか否かを判断する。そしてＣＰＵ２４は、このステップＳＰ３において否定結果を得るとステップＳＰ６に進み、これに対して肯定結果を得るとステップＳＰ４に進んで、ＤＳＰ２９を制御することにより、カメラシャッタボタン６Ａが押圧操作された瞬間にＣＣＤカメラ３から出力された画像信号Ｓ５に対してディジタル変換処理及び画像圧縮処理を施させ、得られた圧縮画像データＤ４をフラッシュメモリ３０に格納させる。
【０１００】
またＣＰＵ２４は、この後ステップＳＰ５に進んで、かかるフラッシュメモリ３０に格納された圧縮画像データＤ４の画像ファイルに関する管理情報を、ステップＳＰ２において作成した画像管理ファイルＰＩＮに登録する。これによりその画像ファイルに対応するピクチャエントリが画像管理ファイルＰＩＮに作成されることとなる。そしてＣＰＵ２４は、この後ステップＳＰ６に進む。
【０１０１】
さらにＣＰＵ２４は、ステップＳＰ６に進むと、録音動作開始後、停止ボタン６Ｄ（図１）が押圧操作されたか否かを判断し、否定結果を得るとステップＳＰ３に戻って、この後ステップＳＰ６において肯定結果を得るまでステップＳＰ３〜ＳＰ６−ＳＰ３のループを繰り返す。
【０１０２】
そしてＣＰＵ２４は、やがてユーザが停止ボタン６Ｄを押圧操作することによりステップＳＰ６において肯定結果を得ると、ステップＳＰ７に進んでＤＳＰ２９を制御することにより、ＡＤ／ＤＡコンバータ２２から出力される音声データＤ１に対する音声圧縮処理を停止（録音動作を停止）させる。
【０１０３】
次いでＣＰＵ２４は、ステップＳＰ８に進んで、管理ファイルＭＳＦ（図８）にそのとき作成した用件ファイルのファイルサイズを登録し、この後ステップＳＰ９に進んでこの録音制御処理手順ＲＴ１を終了する。
【０１０４】
一方、ＣＰＵ２４は、このようにして作成した各用件ファイル内の画像管理ファイルＰＩＮ（図９）に基づき、図１５に示す選択画面表示処理手順ＲＴ２に従って、図６について上述した用件フォルダ選択画面３４をＬＣＤ７（図１）に表示させる。
【０１０５】
すなわちＣＰＵ２４は、用件フォルダ選択画面３３の表示命令が与えられるとこの選択画面表示処理手順ＲＴ２をステップＳＰ１０において開始し、続くステップＳＰ１１において、フラッシュメモリ３０（図５）に格納されている図８について上述した管理ファイルＭＳＦに基づいて、そのとき作成日時が最も早い６つの用件フォルダ（図７の「03072400」〜「03072408」）を選択する。
【０１０６】
続いてＣＰＵ２４は、ステップＳＰ２に進んで、ステップＳＰ１１において選択した６つの用件フォルダについて、フラッシュメモリ３０に格納されているこれら用件フォルダ内の図９について上述した画像管理ファイルＰＩＮに基づいて、当該用件フォルダについて設定されている代表画像の画像ファイルのファイル名を取得する。
【０１０７】
そしてＣＰＵ２４は、この後ステップＳＰ１３に進んで、ステップＳＰ１１において選択した６つの用件フォルダについて、ステップＳＰ１２において取得したファイル名の画像ファイルのデータ（圧縮画像データＤ４）をフラッシュメモリ３０から読み出し、これをＤＳＰ２９に号化処理させると共に、かくして得られた画像データＤ３に基づいて所定サイズのサムネイル画像Ｐ１〜Ｐ６を作成する。
【０１０８】
さらにＣＰＵ２４は、ステップＳＰ１４に進んで、ＲＯＭ２５（図５）から用件フォルダ選択画面３３の画面データを読み出し、この読み出した画面データと、ステップＳＰ３において作成したかかる６つの用件フォルダについてのサムネイル画像Ｐ１〜Ｐ６の画像データとに基づいて、これら６つのサムネイル画像Ｐ１〜Ｐ６が表示された用件フォルダ選択画面３３の画像データを生成してＬＣＤ７に送出する。これによりかかる６つのサムネイル画像Ｐ１〜Ｐ６が表示された用件フォルダ選択画面３３がＬＣＤ７に表示される。
【０１０９】
そしてＣＰＵ２４は、この後ステップＳＰ１５に進んでこの選択画面表示処理手順ＲＴ２を終了する。
【０１１０】
他方、ＣＰＵ２４は、この後ジョグレバー６Ｅ（図１）が送り（「FF」）側又は戻り（「FR」）側に押圧操作されると、ＲＯＭ２５に格納された制御プログラム及び各用件フォルダ内の画像管理ファイルＰＩＮに基づき、図１６に示す選択画面表示更新処理手順ＲＴ３に従って、用件フォルダ選択画面３３の表示内容を順次更新する。
【０１１１】
すなわちＣＰＵ２４は、かかる選択画面表示処理手順ＲＴ２（図１５）を終了した後にジョグレバー６Ｅが操作されると、この選択画面表示更新処理手順ＲＴ３をステップＳＰ２０において開始し、続くステップＳＰ２１において、そのときのジョグレバー６Ｅの操作に応じてカーソル５０（図６）の表示位置を対応する位置に順次移動させる。
【０１１２】
そしてＣＰＵ２４は、続くステップＳＰ２２において、ユーザ操作がそのとき用件フォルダ選択画面３３に表示された６つのサムネイル画像Ｐ１〜Ｐ６の範囲を超えたか否か、つまり、そのとき用件フォルダ選択画面３３に表示された最後の用件フォルダのサムネイル画像Ｐ６をカーソル５０が指している状態において、さらにジョグレバー６Ｅが送り（「FF」）側に押され又はそのとき用件フォルダ選択画面３３に表示された最初の用件フォルダのサムネイル画像Ｐ１をカーソル５０が指している状態においてさらにジョグレバー６Ｅが戻り（「FR」）側に押されることにより、次又は前の６つの用件フォルダのサムネイル画像Ｐ１〜Ｐ６を表示すべき状態であるか否かを判断する。
【０１１３】
そしてＣＰＵ２４は、このステップＳＰ２２において否定結果を得るとステップＳＰ２７に進み、これに対して肯定結果を得るとステップＳＰ２３に進んで、この後ステップＳＰ２３〜ステップＳＰ２６を図１５について上述した選択画面表示処理手順ＲＴ２のステップＳＰ１１〜ステップＳＰ１４と同様に処理する。
【０１１４】
続いてＣＰＵ２４は、ステップＳＰ２７に進んで、ジョグレバー６Ｅのそのときの押圧操作が解除されたか否かを判断し、否定結果を得るとステップＳＰ２８に進んで、図１３について上述したようにカーソル５０の移動速度を低速から中速へ、中速から高速へ又は高速から低速へ変更すべきか否かを判断する。
【０１１５】
そしてＣＰＵ２４は、このステップＳＰ２８において否定結果を得るとステップＳＰ２１に戻り、これに対して肯定結果を得るとステップＳＰ２９に進んで、そのときのカーソル５０の移動速度を対応する移動速度に変更する。そしてＣＰＵ２４は、この後ステップＳＰ２１に戻り、この後ステップＳＰ２７において肯定結果を得るまで、ステップＳＰ２１〜ステップＳＰ２９を繰り返す。
【０１１６】
そしてＣＰＵ２４は、やがてジョグレバー６Ｅの送り（「FF」）側又は戻り（「FR」）側への押圧操作が解除されることにより、ステップＳＰ２７において肯定結果を得ると、ステップＳＰ３０に進んでこの選択画面表示更新処理手順ＲＴ３を終了する。
【０１１７】
さらにＣＰＵ２４は、この後用件フォルダ選択画面３３において１つの用件フォルダが選択決定されると、ＲＯＭ２５（図５）に格納された制御プログラムに基づき、図１７に示す音声再生処理手順ＲＴ４に従って、その選択決定された用件フォルダ内の音声ファイルを再生する。
【０１１８】
すなわちＣＰＵ２４は、用件フォルダ選択画面３３において１つの用件フォルダが選択決定されると、この音声再生処理手順ＲＴ４をステップＳＰ４０において開始し、続くステップＳＰ４１において、そのとき選択されたサムネイル画像Ｐ１〜Ｐ６と対応する用件フォルダのフォルダ名を取得する。
【０１１９】
続いてＣＰＵ２４は、ステップＳＰ４２に進んで、フラッシュメモリ３０（図５）に格納されている図８について上述した管理ファイルＭＳＦから、その用件ファイルに関する情報を取得する。
【０１２０】
次いでＣＰＵ２４は、ステップＳＰ３３に進んで、ステップＳＰ３２において取得した情報に基づいて、その用件フォルダに収納された音声ファイルの圧縮音声データＤ２をフラッシュメモリ３０から読み出し、これをＤＳＰ２９に復号化処理させる。この結果、かかる復号化処理により得られた音声データＤ１がＤＳＰ２９から出力され、これがＡＤ／ＤＡコンバータ２２（図５）においてアナログ変換されて音声信号Ｓ１としてスピーカ３２（図５）に与えられる。これによりこの音声信号Ｓ１に基づく音声がスピーカ３２から出力される。
【０１２１】
そしてＣＰＵ２４は、この後ステップＳＰ４４に進んで、その音声ファイルの再生が終了するのを待ち受け、やがてその音声ファイルの再生が終了することによりこのステップＳＰ４４において肯定結果を得ると、ステップＳＰ４５に進んでこの音声再生処理手順ＲＴ４を終了する。
【０１２２】
（６）本実施の形態の動作及び効果
以上の構成において、このカメラ付きＩＣレコーダ１では、録音時に撮影された各静止画像の圧縮画像データＤ４をその録音した音声の音声ファイルと関連づけてフラッシュメモリ３０に格納する一方、１つのフォルダ（図７の「FOLDER1」〜「FOLDER3」）が選択されて用件フォルダ選択画面３３の表示命令が与えられたときには、そのフォルダ内の各音声ファイル（各用件フォルダ）について、かかる音声ファイルと関連づけて記録保存された圧縮画像データＤ４に基づく静止画像のうちの代表画像として設定された画像のサムネイル画像Ｐ１〜Ｐ６を作成して用件フォルダ選択画面３３に一覧表示する。
【０１２３】
またこのカメラ付きＩＣレコーダ１では、この後用件フォルダ選択画面３３に一覧表示されたサムネイル画像Ｐ１〜Ｐ６の中から１つのサムネイル画像Ｐ１〜Ｐ６が選択されると、対応する用件フォルダ内の音声ファイルを再生する。
【０１２４】
そしてこの場合において、このカメラ付きＩＣレコーダ１では、録音時に、用件フォルダごとに音声ファイルと画像ファイルとを関連付ける画像管理ファイルＰＩＮ（図９）を作成して必要な情報を順次当該画像管理ファイルＰＩＮに格納する一方、１つのフォルダが選択されて用件フォルダ選択画面３３の表示命令が与えられたときにはこの画像管理ファイルＩＰに基づいて各用件フォルダの代表画像のサムネイル画像Ｐ１〜Ｐ６を用件フォルダ選択画面３３に一覧表示し、さらにこれら用件フォルダ選択画面３３に表示されたサムネイル画像Ｐ１〜Ｐ６の中から１つのサムネイル画像Ｐ１〜Ｐ６が選択されたときには、かかる画像管理ファイルＰＩＮに基づいて対応する用件ファイルに格納された音声ファイルを再生する。
【０１２５】
従ってこのカメラ付きＩＣレコーダ１では、録音により得られた音声ファイルや、当該録音時に撮影により得られた画像ファイルのファイルフォーマットとして特殊なファイルフォーマットを採用する必要がなく、既存のＩＣレコーダにおいて採用されているファイルを用いて当該音声ファイルと当該画像ファイルとを関連付けることができるため、例えば既存のＩＣレコーダ及びこのカメラ付きＩＣレコーダ１間で音声ファイルのやり取りをして、既存のＩＣレコーダを用いた録音により作成された音声ファイルをこのカメラ付きＩＣレコーダ１において再生したり、また逆にこのカメラ付きＩＣレコーダ１を用いた録音により作成された音声ファイルを既存のＩＣレコーダにおいて再生することができる。
【０１２６】
以上の構成によれば、録音時に、用件フォルダごとに音声ファイルと画像ファイルとを関連付ける画像管理ファイルＰＩＮ（図９）を作成して必要な情報を順次当該画像管理ファイルＰＩＮに格納する一方、この画像管理ファイルＰＩＮに基づいて音声ファイル及び画像ファイル間の関連付けを行うようにしたことにより、音声ファイル及び画像ファイルのファイルフォーマットとして特殊なファイルフォーマットを採用する必要がなく、既存のＩＣレコーダにおいて使用されているファイルフォーマットを用いて当該音声ファイルと当該画像ファイルとを関連付けることができる。かくするにつき既存のＩＣレコーダを用いて録音することにより得られた音声ファイルとの互換性を確保して、汎用性をもたせながら音声ファイルと画像ファイルとの関連付けを行い得るカメラ付きＩＣレコーダを実現できる。
【０１２７】
（７）他の実施の形態
なお上述の実施の形態においては、本発明を図１〜図５のように構成されたカメラ付きＩＣレコーダに適用するようにした場合について述べたが、本発明はこれに限らず、この他種々の携帯型の記録再生装置に広く適用することができる。
【０１２８】
また上述の実施の形態においては、音声ファイルと画像ファイルとを関連付ける画像管理ファイルＰＩＮを図９〜図１１のように構成するようにした場合について述べたが、本発明はこれに限らず、この他種々の構成を広く適用することができる。
【産業上の利用可能性】
【０１２９】
本発明はカメラ付きＩＣレコーダのほか、この他種々の記録再生装置に広く適用することができる。
【図面の簡単な説明】
【０１３０】
【図１】本実施の形態によるカメラ付きＩＣレコーダのＬＣＤカバー部が閉状態時における外観構成を示す斜視図である。
【図２】本実施の形態によるカメラ付きＩＣレコーダのＬＣＤカバー部が閉状態時における外観構成を示す斜視図である。
【図３】本実施の形態によるカメラ付きＩＣレコーダのＬＣＤカバー部が開状態時における外観構成を示す斜視図である。
【図４】カメラカバーの回転状態の説明に供する略線図である。
【図５】本実施の形態によるカメラ付きＩＣレコーダの内部構成を示すブロック図である。
【図６】用件フォルダ選択画面の概略構成を示す平面図である。
【図７】ボイスケープフォーマットのディレクトリ構造を示す概念図である。
【図８】管理ファイルのデータ構造の説明に供する概念図である。
【図９】画像管理ファイルのデータ構造の説明に供する概念図である。
【図１０】画像管理ファイルのヘッダのデータ構造を示す概念図である。
【図１１】画像管理ファイルのピクチャエントリのデータ構造を示す概念図である。
【図１２】用件フォルダ選択画面における操作方法の説明に供する平面図である。
【図１３】用件フォルダ選択画面における操作方法の説明に供する概念図である。
【図１４】選択画面表示処理手順を示すフローチャートである。
【図１５】録音制御処理手順を示すフローチャートである。
【図１６】選択画面表示更新処理手順を示すフローチャートである。
【図１７】音声再生処理手順を示すフローチャートである。
【符号の説明】
【０１３１】
１……カメラ付きＩＣレコーダ、３……ＣＣＤカメラ、６……操作部、６Ａ……録音ボタン、６Ｂ……ライブビューボタン、６Ｃ……カメラシャッタボタン、６Ｄ……メニューボタン、６Ｅ……ジョグレバー、６Ｆ……停止ボタン、７……ＬＣＤ、２０Ａ、２０Ｂ……マイクロホン、２４……ＣＰＵ、２５……ＲＯＭ、３０……フラッシュメモリ、３２……スピーカ、ＭＳＦ……管理ファイル、ＰＩＮ……画像管理ファイル、Ｄ１……音声データ、Ｄ２……圧縮音声データ、Ｄ３……画像データ、Ｄ４……圧縮画像データ、Ｓ１……音声信号、Ｓ５……画像信号。
【図１】
2006074518.tif 000003
【図２】
2006074518.tif 000004
【図３】
2006074518.tif 000005
【図４】
2006074518.tif 000006
【図５】
2006074518.tif 000007
【図６】
2006074518.tif 000008
【図７】
2006074518.tif 000009
【図８】
2006074518.tif 000010
【図９】
2006074518.tif 000011
【図１０】
2006074518.tif 000012
【図１１】
2006074518.tif 000013
【図１２】
2006074518.tif 000014
【図１３】
2006074518.tif 000015
【図１４】
2006074518.tif 000016
【図１５】
2006074518.tif 000017
【図１６】
2006074518.tif 000018
【図１７】
2006074518.tif 000019